(57)【要約】      （修正有）【課題】内服薬袋の裏面に患者が薬を飲んだかどうかの確認メモ用紙欄を設け、該欄に薬を飲んだかどうかの○印、×印のチェックを記載させて、そのチェックによって、薬意識を高め、薬の効率化と治療の促進化が高まる効果がある確認メモ付き内服薬袋を提供する。【解決手段】病状毎に薬剤師から患者に渡される調剤薬を入れる紙製の有底形状の個別調剤の内服薬袋において、紙製で方形状の総袋体（１）の表面部（２）の裏方の裏面体（３）に、症状適合の薬分の各事項別を記載した主確認メモ体欄（４）を設け、該体に分別の日付、薬分名、数量欄（５）と、飲む期間、回数量欄（６）を設け、該欄に薬を飲んだかどうかを確認するチェック印体欄（７）を設け、該欄に○印（８）、×印（９）を記載、前記事項をメモ体欄（４）でもって一括的にプリント化形成して、構成の薬を飲んだかどうか確認できる構成によって、薬の効率化と治療の促進化の向上が図れる。【選択図】図２
0003213045.tif 000002
【実用新案登録請求の範囲】
【請求項１】
病状毎に患者が服用の調剤薬を入れる紙製の有底形状の個別調剤の内服薬袋において、前記紙製で方形にした総袋体（１）の表面部（２）の裏方の裏面体（３）に、症状適合の薬分の各事項別を記載した主確認メモ体欄（４）を設け、該体に分別の日付、薬分名、数量欄（５）と、飲む期間、回数量欄（６）を設け、該欄に薬を飲んだかどうかのチェック印体欄（７）を設け、該欄にチェックの○印（８）、×印（９）を記載、前記事項をメモ体欄（４）に一括的にプリント形成したことを特徴とする、薬を飲んだかどうかの確認メモ付き内服薬袋。
【請求項２】
個別毎の内服薬の裏面体欄（３）は、１枚の方形状化したメモ体欄（４）である実用新案登録請求の範囲、第１項記載の、薬を飲んだかどうかの確認メモ。
【請求項３】
個別毎の方形状にした１枚のプリント化の内服薬袋の主確認メモ体欄（４）において、日付、薬分名、数量欄（５）と、飲む期間、回数量欄（６）とした実用新案登録請求範囲第１項記載の、薬を飲んだかどうかの確認メモ付き内服薬袋。
【請求項４】
個別毎の１枚の主確認メモ体欄（４）をプリント化した飲む期間、回数量欄（６）を設け、該欄に確認のチェック印を○印（８）と×印（９）である実用新案登録請求範囲第１項記載の薬を飲んだかどうかの確認メモ。
【考案の詳細な説明】
【技術分野】
【０００１】本考案は、医者の処方箋に従い、薬剤師が調剤に使用する薬袋の裏面に、患者が薬を飲んだかどうかの確認メモ用紙欄に、○、×のチェックを記載させ、そのチェックを確認の上、治療の完治の意識性を高め、患者、医師、薬剤師が一体となり、薬剤効率化と、治療効果を一段と高めることができる、確認メモ付きの内服薬袋体に関する。
【背景技術】
【０００２】従来、病院、調剤薬局で処方箋を貰っても、飲み忘れたり二重に飲んだり、飲まなかったり、仕舞い込んだり、又薬の種類が増えると、自分で勝手に飲む薬と飲まない薬を選んだり又捨てたり、薬の価値の意識を忘れている。【０００３】また、薬をきちんと飲んでいるつもりでも、どうだったかなと首をかしげる場面がしばしばある。【０００４】いつも薬の飲み方が無意識のうちに心の中の思い込みに影響され、不安定な飲み方であった。【０００５】実際、患者の薬は、医者の処方箋により薬剤師が調剤した薬はきちんと飲まれているという。【０００６】医者との信頼関係において、次の処方箋も成立している。処方された薬の飲み方を見える化した考案がなく、久しく要望されていた。
【考案の概要】
【考案が解決しようとする課題】
【０００７】よって、処方薬の飲み方の見える化の必然性が叫ばれながらも、なかなか実現できなかった。上記情勢に鑑み、見える化を薬剤師が調剤の内服薬袋の裏面体のメモ体欄（４）に薬を決められた処方通りに飲んだかどうかの確認メモ付き内服薬袋を提供することを目的とする。
【課題を解決するための手段】
【０００８】本考案は、症状毎に患者が服用する調剤薬を入れる紙製方形の有底形状の個別調剤の内服袋において、前記紙製方形の袋体（１）の表面部（２）に、その裏方の裏面体（３）に症状適合した薬分の各事項別に記載した確認メモ体欄（４）を設け、該体には分別する日付、薬分名、数量欄（５）と、飲む期間（朝・夕）、回数量欄（６）を設け、該欄に薬を飲んだかどうかのチェック印体欄（７）を設け、該欄にチェック○印、×印を記載する、前記事項を主確認メモ体欄（４）でもって一括的に形成したことによって、薬を飲んだかどうかの確認メモ付き内服薬袋が構成される。【０００９】また、個別毎の内服薬袋の主確認メモ体欄（４）は、１枚の方形状化した総袋体（１）に全事項を１枚に記載させることによって、薬を飲んだかどうかの確認メモ付き内服薬袋となる。【００１０】個別毎の１枚の主確認メモ体欄（４）をプリント化した飲む期間、回数欄（６）を設け、該欄には患者と薬剤師が記載する主事項に確認のチェック印を、○印（８）と×印（９）で構成したことによって薬の飲み方が改善する確認のメモ内服薬袋の価値観が上がる考案である。
【考案の効果】
【００１１】上述のように、本考案の薬を飲んだかどうかの確認メモ内服薬袋の考案の効果は、前記した構成とその作用により調剤効率化と治療促進化が図れる。【００１２】それは、裏面体（３）の主メモ体欄（４）には、何の薬か、１日何回、何錠を飲むか等の欄（５）と、飲む期間、回数量欄（６）等の事項がプリント化されている。【００１３】また薬を飲んだかどうかを患者自身がチェック欄に、○か×印を記載することで、薬用法についての意識が一層高まる効果がある。【００１４】薬剤師と患者が、この主確認メモ体欄（４）の、見える化した○印（８）、×印（９）によって、薬の用法等について薬剤師の指導性が一層高まり、薬の服用にあたっての飲み過ぎや、飲み忘れが無くなる効果がある。【００１５】この確認メモ体欄に所要事項が記載されており、特に、薬を飲んだかどうかチェックできる○印、×印の見える化によって、患者、医師、薬剤師の流れが体制化される。【００１６】この内服薬袋の主確認メモ体に患者が記載したチェックの○、×印が薬剤師の患者に対して指導性を高め、さらに患者の治療完治が早まり、治療促進化と薬の適正使用化に繋がる。
【図面の簡単な説明】
【００１７】
【図１】  本考案の内服薬袋の確認メモ付き総袋体の斜視図である。
【図２】  本考案の確認メモ付き内服薬袋の裏面体説明図である。
【図３】  本考案の確認メモ付き内服薬袋の１枚化した説明図である。
【考案を実施するための形態】
【００１８】  本考案の一実施例を図（第１図〜第３図）に従い、本考案の構成作用を説明する。
第１図は、本考案の内服薬袋の確認メモ付き総本体の斜視図である。
第２図は、本考案の確認メモ付きの内服薬袋の説明図である。第３図は本考案の確認メモ付き内服薬袋の１枚化した説明図である。
【００１９】紙製で方形状の表と裏化した総袋体（１）の表面部（２）の裏方の裏面体（３）には、医師が処方し、薬剤師が調剤する症状適合の薬分各事項別を記載した主確認メモ体欄（４）を設け、該体に分別の日付、薬分名、数量欄（５）と飲む期間、回数量欄（６）を設け、該欄に薬を飲んだかどうかをチェック印体欄（７）を設け、該欄に患者が薬を飲む毎にチェックの○印（８）、×印（９）を記載する。主メモ体欄（４）をもって、一括的にプリント形成してなる、薬を飲んだかどうかの確認メモ付き内服薬袋が構成される。
【００２０】よって、本考案は前記した構成により、薬剤師が調剤し渡される確認メモ付き内服薬袋の薬を飲んだかどうかをチェック印体欄（７）に薬を飲んだ時には○印（８）、飲まなかった時は×印（９）を記載する。その有無によって、患者は薬剤の引用を意識するので、自然に薬の無駄がなくなり、治療効果につながる効果がある。
【００２１】前記した本考案の内服薬袋の確認メモ付き総袋体を表す説明図は、第１図、第２図、第３図で示す。その総袋体（１）において、第３図は本考案の確認メモ付き内服薬袋の１枚化した説明図である。
【００２２】前記した構成で形成した、薬を飲んだかどうかの○×印方式のメモ体欄（４）を別体の１枚の方形状化したメモ体欄（４）の構成、形状でもって、薬剤効率化と治療促進化が図れる考案である。
【符号の説明】
【００２３】１  総袋体
２  表面部
３  裏面体
４  主確認メモ付き体欄
５  日付、薬分名、数量欄
６  飲む期間、回数量欄
７  チェック印体欄
８  ○印
９  ×印
【図１】
0003213045.tif 000003
【図２】
0003213045.tif 000004
【図３】
0003213045.tif 000005
【手続補正書】
【提出日】平成29年5月19日(2017.5.19)
【手続補正１】
【補正対象書類名】実用新案登録請求の範囲
【補正対象項目名】全文
【補正方法】変更
【補正の内容】
【実用新案登録請求の範囲】
【請求項１】
病状毎に患者が服用の調剤薬を入れる紙製の有底形状の個別調剤の内服薬袋において、前記紙性で方形にした総袋体（１）の表面部（２）の裏方の裏面体（３）に、日付、薬分名、数量（５）と、飲む期間、回数（６）と、チェック印（７）と、チェック○印（８）と、チェック×印（９）とした主確認メモ（４）で形成してなることを特徴とした、薬を飲んだかどうかの確認メモ付き内服薬袋。
【請求項２】
個別毎の内服薬の裏面体（３）は、１枚の方形状化した主確認メモ（４）である請求項１記載の、薬を飲んだかどうかの確認メモ。
【請求項３】
個別毎の方形状にした１枚のプリント化の内服薬袋の主確認メモ（４）において、日付、薬分名、数量（５）と、飲む期間、回数量（６）とした請求項１記載の、薬を飲んだかどうかの確認メモ付き内服薬袋。
【請求項４】
個別毎の１枚の主確認メモ（４）をプリント化した飲む期間、回数量（６）を設け、確認のチェック印を、○印（８）と×印（９）である請求項１記載の、薬を飲んだかどうかの確認メモ付き内服薬袋。
【手続補正書】
【提出日】平成29年7月29日(2017.7.29)
【手続補正１】
【補正対象書類名】実用新案登録請求の範囲
【補正対象項目名】全文
【補正方法】変更
【補正の内容】
【実用新案登録請求の範囲】
【請求項１】
病状毎に患者が服用の調剤薬を入れる紙製の有底形状の個別調剤の内服薬袋において、前記紙製で方形にした総袋体（１）の表面部（２）の裏方の裏面体（３）に、日付、薬分名、数量欄（５）と、飲む期間、回数欄（６）と、チェック印覧（７）と、チェック○印（８）と、チェック×印（９）とした主確認メモ体欄（４）で形成してなることを特徴とした、薬を飲んだかどうかの確認メモ付き内服薬袋。
【請求項２】
個別毎の内服薬の裏面体（３）は、１枚の方形状化した主確認目の体欄（４）である請求項１記載の、薬を飲んだかどうかの確認メモ付き内服薬袋。
【請求項３】
個別毎の方形状にした１枚のプリント化の内服薬袋の主確認メモ体欄（４）において、日付、薬分名、数量欄（５）と、飲む期間、回数量欄（６）とした請求項１記載の、薬を飲んだかどうかの確認メモ付き内服薬袋。
【請求項４】
個別毎の１枚の主確認メモ体欄（４）をプリント化した飲む期間、回数量欄（６）を設け、確認のチェック印を、○印（８）と、×印（９）とした請求項１記載の、薬を飲んだかどうかの確認メモ付き内服薬袋。